(57)【要約】      （修正有）【課題】手技を行う際、別の人の手を煩わせることなく照明装置の明暗制御や画像表示部のモニタの輝度調整をスムーズで効率的に行えるようにするＸ線透視撮影装置を提供する。【解決手段】術者１０の頭部に設置した信号発信装置１３の信号を、モニタ部に設置した信号受信装置１４で受信したとき室内の照明が暗となり、術者１０が手元を見ているときは信号の受信が解除されて室内の照明を明にすべく照明装置１２を制御する。またモニタ５近辺の明るさをセンサ１５により検知し、その検知データを用いてモニタ５を最適な輝度に調整する。【選択図】図１
0003167819.tif 000002
【実用新案登録請求の範囲】
【請求項１】
被検者にＸ線を照射するＸ線照射手段と、被検者を透過したＸ線を検出するＸ線検出手段と、前記Ｘ線検出手段により撮影された画像を表示する画像表示部からなるＸ線透視撮影装置において、検査室内を照明する照明装置と、この照明装置の明暗を制御する照明制御装置と、術者の頭部に取り付けられた前記照明制御装置を制御するための信号を発生する信号発信装置と、術者が画像表示部の中央部分を見たとき前記信号発信装置からの信号を受信できるように前記画像表示部の中央部分に設置された信号受信装置と、を備えるとともに、前記信号発信装置からの信号を前記信号受信装置が受信した場合には前記照明装置を暗状態にし、前記信号発信装置からの信号を前記信号受信装置が受信しない場合には前記照明装置を明状態に制御する照明制御装置を備えたことを特徴とするＸ線透視撮影装置。
【請求項２】
前記画像表示部に室内の明暗を検知するセンサを設置するとともに前記センサの信号を用いて前記画像表示部に設置された透視画像表示用モニタの輝度を調整する輝度制御装置を備えたことを特徴とする請求項１に記載のＸ線透視撮影装置。
【考案の詳細な説明】
【技術分野】
【０００１】
本考案は、Ｘ線透視撮影装置に関する。
【背景技術】
【０００２】
医用診断装置としてのＸ線透視撮影装置は、被検者を載置する検診台と、この検診台の駆動を制御する検診台駆動制御部と、Ｘ線管やＸ線検出器などの撮像系の駆動を行う撮像系駆動部と、Ｘ線発生部やそれを制御するＸ線発生制御部と、Ｘ線画像データの処理部と、画像表示部などで構成されている。
【０００３】
Ｘ線透視撮影装置を用いて手技を行う際、術者は被検者に手技を施す手元の状況とＸ線透視撮影装置による透視画像を映し出す画像表示部に設置されたモニタの両者を見る必要がある。その際手元を見ているときは、検査室内の照明を明るくし、画像表示部を見ているときは室内の照明を暗くすることが要求される。その際の検査室内の照明の操作は、通常室内にあるスイッチのつまみで行われる。特許文献１には、投影機使用時に室内に設けられた照明装置の明暗制御を行う照明装置が開示されている。
【先行技術文献】
【特許文献】
【０００４】
【特許文献１】実開平０５−０８７８９２号公報
【考案の概要】
【考案が解決しようとする課題】
【０００５】
Ｘ線透視撮影装置による手技の際、術者とは別の人が照明装置の明暗の操作を行うため、術者が照明を変えたいと思ったときと実際に照明が変わるタイミングにズレが生じる。また、術者が指示をし、照明を変更させる場合には、作業に少なからず遅れが生じ、円滑に作業が進められないという問題が生じる。
【課題を解決するための手段】
【０００６】
上記の課題を解決するために、本考案は、被検者にＸ線を照射するＸ線照射手段と、被検者を透過したＸ線を検出するＸ線検出手段と、前記Ｘ線検出手段により撮影された画像を表示する画像表示部からなるＸ線透視撮影装置において、検査室内を照明する照明装置と、この照明装置の明暗を制御する照明制御装置と、術者の頭部に取り付けた照明のための信号を発生する信号発信装置と、画像表示部の中央部分に設置した照明のための信号を受信する信号受信装置と、を備えるとともに、術者が画像表示部の中央部分を見たとき、前記信号発信装置からの信号を前記信号受信装置が受信するとともに前記照明装置を暗状態にし、術者が画像表示部を見ていなくて、前記信号発信装置からの信号を前記信号受信装置が受信しない場合には前記照明装置を明状態に制御する照明制御装置を備えたことを特徴とする。
【０００７】
また、本考案は、前記画像表示部に室内の明暗を検知するセンサを設置するとともに前記センサの信号を用いて前記画像表示部に設置された透視画像表示用モニタの輝度を調整する輝度制御装置を備えたことを特徴とする。
【０００８】
術者が、頭部の動きと連動させて、発信装置の信号の方向をコントロールすることによって照明装置の明暗の制御を行うことができ、さらに明暗の制御に連動してモニタの輝度の制御を行うことができるので、術者の要求に沿った手技の環境が実現できる。
【考案の効果】
【０００９】
本考案により、術者は、照明装置の明暗制御や画像表示部のモニタの輝度制御が一々人手を煩わすことなく行えるので、スムーズで快適な手技を効率的に行うことができる。
【図面の簡単な説明】
【００１０】
【図１】本考案による実施例のＸ線透視撮影装置の概要を示す構成図である。
【図２】本考案による実施例のＸ線透視撮影装置の術者と画像表示部の関係を示す側面図である。
【考案を実施するための形態】
【００１１】
図１に本考案のＸ線透視撮影装置の構成の概略を示す。照明装置１２が付設された検査室２０内に設置されたＸ線透視撮影装置は、アーム支持具４により天井から支持されたＣ型アーム３の両端に対向保持されたＸ線管１とＸ線検出器２、保持台１９に保持された被検者９が横臥する検診台６、Ｘ線透視撮影装置全体を操作する操作部７および画像表示部８より構成されている。被検者９は検診台６に横臥し、術者１０が操作部７を操作して透視および撮影を行い、透視撮影画像は画像表示部８のモニタ５に表示される。なお、モニタ５は手技中に透視で見ている画像を映すモニタとそれ以前に撮影した画像を参照するモニタという構成で最低２個が必要である。さらに、オプションとして３Ｄ画像表示用や他のシステムの画像（ＣＴ画像など）を表示するためのモニタが追加される。本実施例では４個のモニタを設置した場合を示す。
【００１２】
また、術者１０はＸ線被曝防護のためにゴーグル１１を装着しており、そのゴーグル１１には信号発信装置１３が取り付けられ、さらに画像表示部８には信号受信装置１４および画像表示部８近辺の明暗を検知するセンサ１５が設置されている。また、照明装置１２の明るさおよびモニタ５の輝度を制御する制御装置１８が設置されている。
【００１３】
図２は本考案による実施例のＸ線透視撮影装置の術者１０と画像表示部８の関係を示す側面図である。図２に示すとおり術者１０が自然な姿勢で画像表示部８のほぼ中央を見たときゴーグル１１に取り付けられた信号発信装置１３から発せられる信号が、信号受信装置１４に入力するように信号発信装置１３の向きをあらかじめ調整しておく。なお、本考案の一例として、信号発信装置１３に赤外線発光素子および信号受信装置１４に赤外線センサを用いる。術者１０が画像表示部８を見ることにより信号発信装置１３の信号が信号受信装置１４に入力すると、照明装置１２は電源２１（図１）に接続された制御装置１８によって暗状態に制御される。
【００１４】
また手技を行うために手元を見ることによって信号発信装置１３の信号が信号受信装置１４に入力しなくなったとき、照明装置１２は制御装置１８によって明状態に制御される。したがって、手元を見ているときは室内の照明は明るくなり、画像表示部８を見ているときは室内の照明は暗くなる。
【００１５】
ところで、画像表示部８に設置されたモニタ５に映し出される画像をより見やすくするためにモニタ５の輝度を調整することが求められている。術者１０が画像表示部８を見ているとき照明装置１２は暗状態に制御されており、画像表示部８に設置されたセンサ１５により画像表示部８近辺の明るさが検知される。制御装置１８により、センサ１５の信号を用いて画像表示部８に設置された透視画像表示用のモニタ５が最適な輝度に調整される。例えば、見やすいとされるモニタの周りの明るさとモニタの画面の明るさの調整テーブル（図示せず）にしたがってモニタ５の輝度が調整される。
【００１６】
なお、本考案による実施例において信号発信装置１３に赤外線発光素子および信号受信装置１４に赤外線センサを使用しているが、可視光を用いた光センサを用いてもよく、これらに限定するものではない。また、信号発信装置１３の取り付けもゴーグル１１に限定するものではなく、例えば手技の際着用する帽子に取り付けてもよい。
【００１７】
なお、図１と図２において符号が同一のものは同一物を表す。
【符号の説明】
【００１８】
１  Ｘ線管
２  Ｘ線検出器
３  Ｃ型アーム
４  アーム支持具
５  モニタ
６  検診台
７  操作部
８  画像表示部
９  被検者
１０  術者
１１  ゴーグル
１２  照明装置
１３  信号発信装置
１４  信号受信装置
１５  センサ
１８  制御装置
１９  保持台
２０  検査室
２１  電源
【図１】
0003167819.tif 000003
【図２】
0003167819.tif 000004